(57)【特許請求の範囲】
【請求項１】
リール（２０，２２０）の回転軸（２１，２３６）の一端を支承する一端軸受部（１３ａ、１３ｂ，２１３ａ，２１３ｂ）が形成された正面部（１１，２１１）の一側に、該正面部（１１，２１１）に対して直交する方向に板面が延びる側面部（１２，２１２）を設けて断面略Ｌ字状のホルダ部材（１０，２１０）を構成し、前記側面部（１２，２１２）の上端部と下端部とに切断部（１４ａ、１４ｂ，２５０ａ，２５０ｂ）を設けたテープカッターであって、
切断刃（５１）と台座部（５５）を有してなる切断部材（５０）を、前記側面部（１２，２１２）の上端の切断部に前記切断刃（５１）が表れ、下端の切断部に前記台座部（５５）が表れるように、該側面部（１２，２１２）の裏側に、上下反転させて着脱可能としたことを特徴とするテープカッター。
【請求項２】
前記一端軸受部（１３ａ、１３ｂ，２１３ａ，２１３ｂ）は、前記上端の切断部を使用する際に前記リール（２０，２２０）が支承される第１の軸受部（１３ａ，２１３ａ）と、前記下端の切断部を使用する際に前記リール（２０，２２０）が支承される第２の軸受部（１３ｂ，２１３ｂ）と、からなることを特徴とする請求項１に記載のテープカッター。
【請求項３】
前記リール（２０，２２０）の前記回転軸（２１，２３６）の他端を支承する他端軸受部材（３０，２３０）を更に含んで構成したことを特徴とする請求項１又は請求項２に記載のテープカッター。
【請求項４】
前記他端軸受部材（３０，２３０）に脚部（３１，２３１）を設け、該脚部（３１，２３１）の長さを、前記リール（２０，２２０）を介して前記ホルダ部材（１０，１１０）に組み付けられた際に該リール（２０，２２０）の水平状態が維持される長さに設定したことを特徴とする請求項３に記載のテープカッター。
【発明の詳細な説明】
【技術分野】
【０００１】
本発明は、ロール状に巻回されたテープを回転可能に支持すると共に、繰り出されたテープを所望の長さに切断する卓上型のテープカッターであって、特に、意匠性に優れたテープカッターに関する。
【背景技術】
【０００２】
卓上型のテープカッターは、基台上に、ロール状に巻回されたテープを回転可能に支持するテープ支持部と、繰り出されたテープを所望の長さに切断する切断部を突出させた構造であり、テープ支持部と切断部との間の空間部に手を差し込んでテープを摘み、所望の長さにテープを引き出した後に切断するようになっている（特許文献１）。
しかし、店舗や事務所の備品として卓上に設置されるテープカッターにおいては、インテリアの一部としての意匠性が要求される傾向にあり、使用者等によって視認される正面部をデザイン的な平面で構成しようとする要請が高い。
【０００３】
特に、接着テープ用のテープカッターの場合は、テープ支持部と切断部との間の空間部に露呈されるテープの接着面に埃が付着したり、乾燥したりして接着性が低下することを防止するために、テープ支持部と切断部とを同一平面内に構成したり（特許文献２）、切断部をホルダ内に収容することによって（特許文献３）、テープ支持部と切断部との間に空間が生じないようにしたものも提案されている。
【特許文献１】特開平７−９７１２０号公報
【特許文献２】特開２００７−２２８０２号公報
【特許文献３】特開平１０−４４０８８号公報
【発明の開示】
【発明が解決しようとする課題】
【０００４】
しかしながら、特許文献２に開示のテープカッターは、テープ支持部と切断部が同一平面上に形成されており、テープを繰り出すために手を差し込む空間が存在しないので、テープの先端部に摘み部が形成されるような機構を設ける必要がある。
また、特許文献３に開示のテープカッターは、収納された切断部をホルダ本体から引き出すことができるよう、切断部をホルダ本体に回動可能又はスライド可能に取り付ける必要があるので、構造が複雑化する。また、使用に際して、切断部をホルダ本体から引き出す操作と、テープを摘んで繰り出して切断するという操作が必要となるので、作業の効率性を低下させる。
【０００５】
そこで、本発明は、簡単な構造でありながら、テープ支持部と切断部との間の空間部を排除することで意匠性を向上させることができるテープカッターの提供を目的とする。
【課題を解決するための手段】
【０００６】
上記課題を解決するために、本発明に係るテープカッターは、リールの回転軸の一端を支承する一端軸受部が形成された正面部の一側に、該正面部に対して直交する方向に板面が延びる側面部を設けて断面略Ｌ字状のホルダ部材を構成し、前記側面部の上端部と下端部とに切断部を設けたテープカッターであって、切断刃と台座部を有してなる切断部材を、前記側面部の上端の切断部に前記切断刃が表れ、下端の切断部に前記台座部が表れるように、該側面部の裏側に、上下反転させて着脱可能としたことを特徴とするものである。
この場合、前記一端軸受部は、前記上端の切断部を使用する際に前記リールが支承される第１の軸受部と、前記下端の切断部を使用する際に前記リールが支承される第２の軸受部と、からなるものであってもよい。
また、前記リールの前記回転軸の他端を支承する他端軸受部材を更に含んで構成してもよい。
【０００７】
また、前記他端軸受部材には脚部を設け、該脚部の長さを、前記リールを介して前記ホルダ部材に組み付けられた際に該リールの水平状態が維持される長さに設定してもよい。
【発明の効果】
【００１０】
請求項１に係るテープカッターは、リールの回転軸の一端を支承する一端軸受部が形成された正面部の一側に、切断刃が設けられる側面部を設け、ホルダ部材を断面略L字状に構成したため、正面視において、一端軸受部と切断刃との間に空間が生じないので、卓上に設置した際の意匠性が高い上に、埃等がテープに付着し難くなる。
一方、ホルダ部材の背面側には、一端軸受部と切断刃との間に空間が存在し、その空間部から手を差し入れて、リールに装着されたテープを引き出すことができるので、テープカッターとしての機能が損なわれることがない。
【００１１】
この際、ホルダ部材の側面部の上端部と下端部との双方に切断部が設けられているので、ホルダ部材を上下方向に反転させることによって、切断部を右側に位置させることも、左側に位置させることも可能となり、使用者の利き手の相違に柔軟に対応させることができる。
これによって、テープカッターとしての機能が損なわれることなく、簡単な構造でありながら、意匠性を向上させることができる。
なお、このリールに装着されるテープは、帯状のものであっても、線状のものであってもよい。また、粘着性を有するものであってもよい。
【００１２】
特に、切断刃と台座部を有してなる切断部材を側面部の裏側に上下反転させて着脱できるようにしたので、切断部材を取り付けた側面部を左右何れの方向にも位置させることができ、使用者の利き手の相違に柔軟に対応させることができる。
また、切断刃が破損又は消耗した場合、切断部材のみを交換すればよいので、インテリアの一部としての長期間の使用に耐えることができる。
更に、様々な形状の切断刃のものを取り揃えておき、適宜、切断部材を付け替えることによって、直線状やギザギザ状など所望の切断状態に切断することが可能となる。
請求項２に係るテープカッターは、ホルダ部材の正面部に、上端切断部を使用してテープを切断する場合にリールが支承される第１の軸受部と、下端切断部を使用してテープを切断する際にリールが支承される第２の軸受部の２つの軸受部によって、一端軸受部を形成したので、左右の何れの方向でテープを切断する場合でも、最適な高さにリールを位置させることができる。
請求項３に係るテープカッターは、リールの回転軸の他端を支承する他端軸受部材を更に設けたので、リールがホルダ部材から外れるのを効果的に防止できる。
【００１３】
請求項４に係るテープカッターは、他端軸受部材に脚部を設けたので、ホルダ部材を安定した状態で卓上に設置することができる。この際、脚部の長さは、リールを介してホルダ部材に組み付けられた際にリールの水平状態が維持されるように設定されているので、リールの円滑な回転が確保され、テープをスムーズに繰り出すことができる。
【発明を実施するための最良の形態】
【００１７】
本発明の好適な実施形態を、添付図面に基づいて説明する。なお、実施形態は以下の形態に限定されるものではなく、本発明の課題を解決し得るものであれば、他の態様も可能である。
【００１８】
図１は、本発明の第１実施形態に係るテープカッター１を示す斜視図である。このテープカッター１は、ロール状に巻回された接着テープを回転可能に支持すると共に、繰り出された接着テープを所望の長さに切断する卓上型のテープカッターであって、図２に示すように、ホルダ部材１０と、リール２０と、他端軸受部材３０によって構成される。
【００１９】
ホルダ部材１０は、長方形状の平面からなる正面部１１と、正面部に対して直交する方向に板面が延びる側面部１２によって、断面L字状に形成される。  
この正面部１１の裏面には、リール２０の回転軸の一端を支承するための軸受１３ａ、１３ｂが上下２箇所に設けられている。
上方に設けられた第１の軸受１３ａは、後述する側面部１２の上端に設けられた第１の切断部１４ａを使用してテープを切断する場合に、リール２０が支承される部位であり、下方に設けられた第２の軸受１３ｂは、ホルダ部材１０を上下反転させて第２の切断部１４ｂを使用してテープを切断する場合に、リール２０が支承される部位である。
【００２０】
ホルダ部材１０の上端部から第1の軸受１３ａまでの長さＭ１と、下端部から第２の軸受１３ｂまでの長さＭ２は同一であり、後述する他端軸受部材３０の脚部３１の長さにあわせて設計されている。
正面部１１の一側には、テーパ部１５を介し、直交方向に板面が延びる側面部１２が連続形成されている。この側面部１２の上端部と下端部には、切断部１４ａ、１４ｂが設けられる。
【００２１】
上端部に設けられた第１の切断部１４ａには、切断刃が刃先を上方に向けた状態で取り付けられている。下端部に設けられた第２の切断部１４ｂには、ゴム等の弾性部材からなる台座部材が取り付けられている。この切断刃と弾性部材は着脱可能となっており、相互に取り換えて装着することができる。
正面部１１の第１の軸受１３ａに、リール２０の回転軸２１の一端部を挿入することによって、図３に示すように、リール２０がホルダ本体１０に回転可能に支承される。
【００２２】
リール２０は、図２に示すように、規格サイズの接着テープが装着可能なリール部２２を有し、何れの軸受１３ａ、１３ｂにも支承可能な軸径の回転軸２１によって回転される。
リール２０の回転軸２１の他端部を、他端軸受部材３０の内側に設けられた軸受３２に支承させることによって、図１に示す状態に、組み付けることができる。
【００２３】
この他端軸受部材３０には、図２に示すように、脚部３１が設けられている。
脚部３１は、他端軸受部材３０がリール２０を介してホルダ部材１０に組み付けられた際に、リール２０の水平状態が維持されるような長さに設計されている。そして、脚部３１の下寄りの部位には、内側に向けて突出する突起部３３が形成されており、その突起部３３が、ホルダ部材１０の第２の軸受１３ｂに差し込まれることによって、他端軸受部材３０がホルダ部材１０に組み付けられる。
【００２４】
上記構成のテープカッター１の使用状態を説明する。
使用者が右利きの場合は、図１に示すように、ホルダ部材１０の正面部１１に対して向かって右側に側面部１２が位置するように、卓上に設置されるが、この際、平面状の正面部１１が使用者側に位置しているので、接着テープが目に付きにくくなる。ホルダ部材１０の正面部１１を装飾性の高いデザインにすることによって、あたかもインテリアの一部のように、テープカッター１を卓上に配置することができる。
【００２５】
接着テープを使用する場合は、ボルダ部材１０の正面部１１の裏側に手を差し入れてテープを繰り出し、側面部１２上端の第１の切断部１４ａによって切断する。
これによって、テープを繰り出す際に手を差し入れるための空間部をテープカッターの正面に設ける必要がなくなるので、デザイン性が向上すると共に、テープに埃等が付着する機会を低減できる。
【００２６】
店舗等にテープカッター１を配置する場合は、正面部１１がカウンターの外側（即ち、客側）に向き、裏面がカウンターの内側（即ち、店員側）に向くように配置されるが、この場合は、図４に示すように、第２の切断部１４ｂに切断刃を取り付け、第１の切断部ａに台座部材を取り付ける。
これによって、カウンターの内側Ｂで使用する店員にとっては使い易く、カウンターの外側Ａにいる客にとっては、あたかも置物であるかのように見えるテープカッター１とすることができる。
【００２７】
なお、本発明に係るテープカッターは、図５に示すように、断面略L字状のホルダ部材１１０の正面部１１１に、リール１２０の回転軸の一端を支承する一端軸受部を１箇所に形成し、側面部１１２の上端部と下端部とに第１及び第２の切断部１１４ａ、１１４bを設けたのみの構成としてもよい。
また、本発明に係るテープカッターにおいて、切断部１１４ａ、１１４ｂの双方に切断刃を着脱不能に取り付けてもよい。
【００２８】
次に、本発明の第２実施形態に係るテープカッターについて、図６を参照して説明する。
このテープカッター２０１は、ホルダ部材２１０と、リール２２０と、他端軸受部材２３０と、切断部材５０とによって構成される。
【００２９】
ホルダ部材２１０は、長方形状の平面からなる正面部２１１と、正面部に対して直交する方向に板面が延びる側面部２１２によって、断面L字状に形成される。  
この正面部２１１の裏面には、図７に示すように、リール２２０の回転軸の一端を支承するための軸受２１３ａ、２１３ｂが上下２箇所に設けられている。
【００３０】
上方に設けられた第１の軸受２１３ａは、図６に示す状態で使用される際に、リール２２０が支承される部位であり、下方に設けられた第２の軸受２１３ｂは、ホルダ部材２１０を上下反転させて側面部２１２を正面部２１１の左側に位置させて使用する場合に、リール２２０が支承される部位である。
ホルダ部材２１０の上端部から第1の軸受２１３ａまでの長さＭ１と、下端部から第２の軸受２１３ｂまでの長さＭ２は同一であり、後述する他端軸受部材２３０の脚部２３１の長さにあわせて設計されている。
【００３１】
夫々の軸受２１３ａ、２１３ｂには、軸部材４０ａ、 ４０ｂが固定されている。上方位置の第１の軸部材４０ａは、リール２２０を支承しつつ、他端軸受部材２３０をホルダ部材２１０に固定させるためのものであり、下方位置の第２の軸部材４０ｂは、下方位置において他端軸受部材２３０とホルダ部材２１０とを固定するためのものである。
軸部材４０ａ、４０ｂの取付状態を、図８を参照して説明する。図８は、ホルダ部材２１０の正面部２１１に取り付けられた化粧板を取り外した状態を示すものであり、夫々の軸受２１３ａ、２１３bに対応する位置に、他端軸受部材２３０を取り付けるための取付機構４１が設けられている。
【００３２】
この取付機構４１は、補強部材４２及び保護壁４３に覆われており、これらを取り外すと、正面部２１１の裏面部材２１６に設けられた雌ネジ部に螺合された軸部材４０が表れ、その近傍に嵌合穴２１７が表れる。この嵌合穴２１７に、後述する他端軸受部材２３０の嵌合爪部２３４が嵌合されることによって、他端軸受部材２３０がホルダ本体２１０に固定される。
正面部２１１の一側には、テーパ部２１５を介し、直交方向に板面が延びる側面部２１２が連続形成されている。この側面部２１２の上端部と下端部には、図７に示すように、後述する切断部材５０を着脱可能に取り付けるための嵌合凸部２５０ａ、２５０ｂが設けられている。
【００３３】
第１の軸部材４０ａには、後述する他端軸受部材２３０のパイプ部２３６を介してリール２２０が支承されている（図９参照）。このリール２２０の外周面には、規格サイズの接着テープがしっかり装着できるようにリブ２２２が形成されている。
リール２２０中心の開口部２２３の径は、他端軸受部材２３０のパイプ部２３６の外径よりも僅かに大きく設計されており、パイプ２３６部にホルダ部材２１０の軸部材４０ａが挿入されることによって、この軸部材４０ａを中心にリールが回転される（図７参照）。このようにして、リール２２０が他端軸受部材２３０とホルダ部材２１０の第１の軸受２１３ａに支承されるように構成している。
【００３４】
次に、他端軸受部材２３０について説明する。
他端軸受部材２３０は、脚部２３１とフランジ部２３２とによって構成される。
脚部２３１は、他端軸受部材２３０の安定性を高めると共に、下方位置において他端軸受部材２３０をホルダ部材２１０と固定するための部位であり、第２の軸受２１３ｂの近傍に設けられた取付機構４１によってホルダ部材２１０に対して着脱可能に取り付けられる。
【００３５】
脚部２３１は、他端軸受部材２３０が軸部材４０を介してホルダ部材２１０に組み付けられた際に、リール２２０の水平状態が維持されるような長さに設計されている。脚部２３１の中間部から下方にかけて部位には、脚部２３１に対して直角方向に基部が延びている。この基部の上縁部には、ホルダ部材２１０の第２の軸部材４０ｂが挿入されるパイプ部２３３が設けられており、その下に、他端軸受部材２３０をホルダ本体２１０に固定するための機構が設けられている。
【００３６】
脚部２３１の下端からパイプ部２３３までの高さＭ３は、ホルダ部材２１０の前記正面部２１１の上端部から第１の軸受２１３ａまでの長さＭ１、及び下端部から第２の軸受２１３ｂまでの長さＭ２と、同一に設定されている。
他端軸受部材２３０をホルダ本体２１０に固定するための機構は、基部の先端に設けられた嵌合爪部２３４と、この嵌合爪部２３４を嵌合方向へと付勢する図示しない弾性部材と、この弾性部材を弾性変形させるための操作部２３５とによって構成される。
【００３７】
操作部２３５は、脚部２３１に設けられた開口部を介して脚部２３１の側面両側に露呈されており（図１０参照）、脚部２３１の方向に押圧することによって、内部に設けられた弾性部材を介して嵌合爪部２３４を開放方向へと変位させ、ホルダ部材２１０の嵌合穴２１７における嵌合状態を解除させる。これによって、他端軸受部材２３０をホルダ本体２１０から取り外すことができる。
【００３８】
脚部２３１の上端に設けられたフランジ部２３２は、上方位置の第１の軸部材４０ａを介してリール２２０を支承するための部位であり、リール側の面にはパイプ部２３６が突設されている。
このパイプ部２３６の内径は、脚部２３１のパイプ部２３３の内径と同一であり、外径は、リール２２０が円滑に回転するようにリール２２０の開口部２２３の内径に合わせて設計されている。このパイプ部２３６に、第１の軸部材４０ａを挿入することによって、ホルダ部材２１０を上方位置において固定することができる。
【００３９】
ホルダ部材２１０には、切断部材５０が着脱可能に取り付けられている。
この切断部材５０は、ホルダ部材２１０の側面部２１２の裏側に取り付けられており、図１１に示すように、側面部２１２の表側からは、切断刃５１を設けた上端取付部５２と、下端取付部５３が表れるだけである。この切断部材５０は、図１２〜図１６に示すように、上端に切断刃５１を設け、上端及び下端の取付部５２、５３の裏側に、ホルダ本体２１０に設けられた嵌合凸部２５０ａ，２５０ｂと嵌合可能な嵌合凹部５４ａ、５４ｂを設けている。
【００４０】
切断部材の夫々の嵌合凹部５４ａ、５４ｂは同一形状であり、ホルダ本体２１０の何れの嵌合凸部２５０ａ，２５０ｂにも嵌合可能となっている。
切断部材５０の下端取付部５３の底部には、安定性を高めるための台座部５５を設けている。この場合、台座部５５を弾性部材で構成してもよいし、切断部材自体をポリプロピレン（ＰＰ）などの柔軟性の高い樹脂製の材料で構成してもよい。
【００４１】
上記構成のテープカッター２０１の使用状態を説明する。
使用者が右利きの場合は、図６に示すように、ホルダ部材２１０の正面部２１１に対して側面部２１２が右側に位置するように設置される。
使用者が左利きの場合、又は店舗で使用する場合など客の側に正面部２１１を向けたい場合は、切断部材５０を取り外し、ホルダ部材２１０を上下反転させた後に、ホルダ部材２１０の上方に位置するようになった第２の嵌合凸部２５０ｂに切断部材５０の上端取付部５２の嵌合凹部５４ａを嵌合させる。
【００４２】
切断部材５０の切断刃５１が破損又は消耗した場合は、切断部材５０のみを交換すればよいので、ホルダ部材２１０を高品質な素材で製造し、インテリアの一部として長期間できるようにしてもよい。
また、様々な形状の切断刃の切断部材を取り揃えておき、適宜、切断部材を付け替えることによって、直線状やギザギザ状など所望の切断状態に切断することができるようにしてもよい。
【産業上の利用可能性】
【００４３】
本発明は、事務用のテープカッターのみではなく、荷役又は製造に使用されるテープを繰り出して切断するカッターホルダーに適用することもできる。
【図面の簡単な説明】
【００４４】
【図１】本発明の第１実施形態に係るテープカッターを示す斜視図である。
【図２】上記テープカッターを構成部材毎に分解した状態を示す斜視図である。
【図３】上記テープカッターを組み付ける状態を示す斜視図である。
【図４】上下を反転させて使用する状態を示す斜視図である。
【図５】本実施形態の変形例を示す斜視図である。
【図６】本発明の第２実施形態に係るテープカッターを示す斜視図である。
【図７】上記テープカッターの他端軸受部材と切断部材を取り外した状態を示す分解斜視図である。
【図８】ホルダ部材の正面部の化粧板を外した状態を示す説明図である。
【図９】リールが他端軸受部材のパイプ部を介して支承される状態を示す説明図である。
【図１０】テープカッターを裏側から見た状態を示す背面図である。
【図１１】テープカッターを側面部側から見た状態を示す側面図である。
【図１２】ホルダ部材の裏側に取り付けられる切断部材の正面図である。
【図１３】上記切断部材の背面図である。
【図１４】上記切断部材の側面図である。
【図１５】上記切断部材の平面図である。
【図１６】上記切断部材の底面図である。
【符号の説明】
【００４５】
１、２０１・・・テープカッター
１０、１１０、２１０・・・ホルダ部材
１１、１１１、２１１・・・正面部
１２、１１２、２１２・・・側面部
１３ａ、２１３ａ・・・第１の軸受（一端軸受部）
１３ｂ、２１３ｂ・・・第２の軸受（一端軸受部）
１４ａ、１１４ａ・・・第１の切断部
１４ｂ、１１４ｂ・・・第２の切断部
１５、２１５・・・テーパ部
２１６…裏面部材
２１７…嵌合穴
２０、２２０・・・リール
２１・・・回転軸
２２・・・リール部
２２２…リブ
２２３…空間部
３０、２３０・・・他端軸受部材
３１、２３１・・・脚部
３２・・・軸受
３３・・・突起部
２３３…パイプ部
２３４…嵌合爪部
２３５…操作部
２３６…パイプ部
２５０ａ，２５０ｂ…嵌合凸部
４０ａ…第１の軸部材
４０ｂ…第２の軸部材
４１…取付機構
４２…補強部材
４３…保護壁
５０…切断部材
５１…切断刃
５２…上端取付部
５３…下端取付部
５４…嵌合凹部
５５…台座部
【図１】
0005116501.tif 000002
【図２】
0005116501.tif 000003
【図３】
0005116501.tif 000004
【図４】
0005116501.tif 000005
【図５】
0005116501.tif 000006
【図６】
0005116501.tif 000007
【図７】
0005116501.tif 000008
【図８】
0005116501.tif 000009
【図９】
0005116501.tif 000010
【図１０】
0005116501.tif 000011
【図１１】
0005116501.tif 000012
【図１２】
0005116501.tif 000013
【図１３】
0005116501.tif 000014
【図１４】
0005116501.tif 000015
【図１５】
0005116501.tif 000016
【図１６】
0005116501.tif 000017